(57)【要約】【課題】防水コネクタアセンブリーを提供することを課題とする。【解決手段】本発明が提供した防水コネクタアセンブリーは、第１連結手段と、第２連結手段と固定具とを含む。第１連結手段は第１ハウジングと、導体雄端子と、第１防水ブッシュと第１螺合部材とを備える。第１ハウジングに第１内孔が形成され、且つ、順番通り１段目と、２段目と、３段目と４段目とを設ける。第２連結手段は第２ハウジングと、導体雌端子と、第２防水ブッシュと第２螺合部材とを備える。第２ハウジングに第２内孔が形成され、且つ、順番通り５段目と、６段目と７段目とを設ける。電気的に導通できるため、導体雄端子を上記導体雌端子に挿入できる。固定具は第１ハウジングの１段目と２段目の外側に嵌設し、また、１段目と２段目の外表面において所定の第１位置から所定の第２位置へ移動できる。【選択図】図１
2012028312.tif 000002
【特許請求の範囲】
【請求項１】
所定軸方向Ａに沿って組まれた第１連結手段１と、第２連結手段２と固定具３とを含む防水コネクタアセンブリーであって、
前記第１連結手段１が
第１ハウジング１１と、
導体雄端子１２と、
第１防水ブッシュ１３と、
第１螺合部材１４と、を備え、
前記第２連結手段２が、
第２ハウジング２１と、
導体雌端子２２と、
第２防水ブッシュ２３と、
第２螺合部材２４と、を備え、
電気的に導通するため、前記導体雄端子１２を前記導体雌端子２２に挿入できるように、前記第１ハウジング１１と、前記第２ハウジング２１と、前記固定具３とはいずれも中空状を呈し、
前記第１ハウジング１１は、
前記所定軸方向Ａに沿って第１内孔１１５を形成し、且つ、前記第１ハウジング１１が前記軸方向Ａに沿って順に、１段目１１１と、２段目１１２と、３段目１１３と、４段目１１４とが設けられ、
前記２段目１１２は外側から内側へ凹んで一対の凹み部１１６を形成し、
前記１段目１１１が前記軸方向Ａに沿って一対のスルーホール１１７を形成し、
前記スルーホール１１７は一対の第１開口部１１８を通じて前記凹み部１１６まで貫通し、
前記凹み部１１６は更に一対の第１係止域１１９を前記第１開口部１１８の更に外側に形成し、
前記第２ハウジング２１は、
前記所定軸方向Ａに沿って第２内孔２１４を形成し、且つ、前記第２ハウジング２１が前記軸方向Ａに沿って順番通り５段目２１１と、６段目２１２と７段目２１３とを設け、
前記５段目２１１が前記第１ハウジング１１の第１内孔１１５の中に入り込み、
前記第２ハウジング２１は、
前記６段目２１２の頂上部２１２１から前記軸方向Ａに沿って延出し、且つ、前記５段目２１１の外側に位置する一対の係止アーム２１５を更に含み、並びに、
各係止アーム２１５の末端が外側に向かって突出して突出部２１６を形成し、
前記各突出部２１６の前記各係止アーム２１５に隣接する面に第２係止域２１７が形成され、
前記突出部２１６が前記第１ハウジング１１の前記スルーホール１１７を貫通して前記凹み部１１６に入り込み、
前記固定具３は、
前記軸方向Ａに沿って第３内孔３１を形成し、
前記固定具３が前記第１ハウジング１１の前記１段目１１１と前記２段目１１２の外側に嵌設され、且つ、前記１段目１１１と前記２段目１１２の外表面において所定の第１位置Ｐ１から所定の第２位置Ｐ２へ移動することができ、
前記固定具３には、前記軸方向Ａに沿って一対の舌片３２が設けられ、
前記固定具３が前記第１位置Ｐ１にある時、
前記舌片３２が前記第２ハウジング２１の前記突出部２１６の下方に入り込ませ、且つ、前記突出部２１６の前記第２係止域２１７が前記第１ハウジング１１の前記第１係止域１１９まで当て、
前記固定具３が前記第２位置Ｐ２にある時、
前記舌片３２が前記突出部２１６の下方から離れることを特徴とする、
防水コネクタアセンブリー。
【発明の詳細な説明】
【技術分野】
【０００１】
本発明は、コネクタに関し、特に、防水機能を備えたコネクタに関する。
【背景技術】
【０００２】
コネクタは、現在すでに各産業及び各種機電設備に幅広く応用されている。利用者はコネクタを通じてスピーディーに必要なデータ、信号及び電力を伝送できる。コネクタの登場は、情報受信速度を加速させ、また人々の生活も更に便利にさせてきた。
【０００３】
コネクタの使用するシーンは非常に幅広く、生活上多くの応用においてよくコネクタは大気環境中に曝露されている。コネクタにある導電端子は電気的な接続として使用される接触端で、両コネクタが接続した後、防水構造がない場合、容易に水蒸気或いは湿気によって短絡することで、コネクタの転送機能が損害を被り、働きを失ってしまう。
【０００４】
次に、両コネクタが接続してからも安定していない場合、容易に外力からの衝撃により、両コネクタを離脱させて、転送の中断が起きる。更に深刻な事態として漏電して、利用者が誤って端子に接触することで感電或いはその他不慮の事故のリスクが生じる恐れがある。
【発明の概要】
【発明が解決しようとする課題】
【０００５】
上記先行技術の問題点を解決するため、本発明で提供する防水コネクタアセンブリーは、所定軸方向に沿って組まれた第１連結手段と、第２連結手段と固定具とを含む。
第１連結手段は、第１ハウジングと、導体雄端子と、第１防水ブッシュと第１螺合部材とを備える。
第２連結手段は第２ハウジングと、導体雌端子と、第２防水ブッシュと第２螺合部材とを備える。
電気的に導通するため、導体雄端子を導体雌端子に挿入できる。第１ハウジング、第２ハウジング及び固定具はいずれも中空状となる。
【０００６】
第１ハウジングは、上記の所定軸方向に沿って第１内孔を形成し、且つ第１ハウジングが該軸方向に沿って順番通り１段目と、２段目と、３段目と４段目とが設けられる。
２段目は外側から内側へ凹んで一対の凹み部を形成し、１段目が該軸方向に沿って一対のスルーホールを形成し、該一対のスルーホールは一対の第１開口部を通じて該一対の凹み部まで貫通し、該一対の凹み部は更に一対の第１係止域を該一対の第１開口部の更に外側に形成する。
【０００７】
第２ハウジングは、上記の所定軸方向に沿って第２内孔を形成し、且つ第２ハウジングが該軸方向に沿って順番通り５段目と、６段目と７段目とを設ける。
５段目が第１ハウジングの第１内孔の中に入り込む。
第２ハウジングは、６段目の頂上部から該軸方向に沿って延出し、且つ５段目の外側に位置する一対の係止アームを更に含み、並びに各係止アームの末端が外側に向かって突出して突出部を形成する。
各突出部の各係止アームに隣接する面に第２係止域が形成され、各突出部が第１ハウジングの該一対のスルーホールを貫通して第１ハウジングの該一対の凹み部に入り込む。
【０００８】
固定具は、上記の所定軸方向に沿って第３内孔を形成し、該固定具が第１ハウジングの１段目と２段目の外側に嵌設され、且つ１段目と２段目の外表面において所定の第１位置から所定の第２位置へ移動することができる。
固定具には該軸方向に沿って一対の舌片が設けられ、固定具が第１位置にある時、該一対の舌片が第２ハウジングの一対の突出部の下方に入り込ませ、且つ該一対の突出部の各第２係止域が第１ハウジングの各第１係止域まで当て、固定具が第２位置にある時、該一対の舌片が該一対の突出部の下方から離れる。
【０００９】
これにより、本発明の主な目的は、第１連結手段と、第２連結手段と固定具とを含み、第１連結手段が第１ハウジングを備え、第１ハウジングに１段目と、２段目と、一対の凹み部と一対の第１係止域とが形成され、第２連結手段が第２ハウジングを備え、第２ハウジングに一対の突出部と一対の第２係止域とが形成され、固定具が一対の舌片を備え、且つ該固定具を第１ハウジングの１段目と２段目の外側に嵌設し、また該固定具は、１段目と２段目の外表面において所定の第１位置から所定の第２位置へ移動でき、よって、該固定具が第１位置にある時、該一対の舌片が第２ハウジングの該一対の突出部の下方に入り込み、且つ該一対の突出部の各第２係止域が第１ハウジングの各第１係止域まで当て、これにより、固定具は第１連結手段と第２連結手段を更に安定的に結合させることができるため、外力の衝撃を受けて離脱或いは人為的に引っ張られても容易に抜け落ちることがなく、更に電気的導通の持久力を確保できる防水コネクタアセンブリーを提供することである。
【００１０】
本発明の別の目的は、第１連結手段と、第２連結手段と固定具とを含み、第１連結手段が第１ハウジングを備え、第１ハウジングに１段目と、２段目とが形成され、該１段目に一対の第２係止孔が設けられ、第２連結手段が第２ハウジングを備え、第２ハウジングに６段目が形成され、該６段目に一対の第１係止孔が設けられ、固定具が第３内孔を備え、該第３内孔の孔壁から内側に向かって更に一対の係止歯を突出し、且つ該固定具を第１ハウジングの１段目と２段目の外側に嵌設し、また１段目と２段目の外表面において所定の第１位置から所定の第２位置へ移動でき、よって、該固定具が第１位置にある時、固定具の該一対の係止歯が第２ハウジングの該一対の第１係止孔内に係入できることで、固定具は該一対の係止歯を利用して第１連結手段と第２連結手段を好適で安定的に結合させることができるため、外力の衝撃を受けて離脱或いは人為的に引っ張られても容易に抜け落ちることがなく、電気的導通の持久力を好適に確保できる防水コネクタアセンブリーを提供することである。
【００１１】
本発明の別の目的は、第１連結手段と、第２連結手段と固定具とを含み、第１連結手段が第１ハウジングを備え、第１ハウジングに１段目と、２段目とが形成され、該１段目に一対の第２係止孔が設けられ、第２連結手段が第２ハウジングを備え、第２ハウジングに６段目が形成され、該６段目に一対の第１係止孔が設けられ、固定具が第３内孔を備え、該第３内孔の孔壁から内側に向かって更に一対の係止歯を突出し、且つ該固定具を第１ハウジングの１段目と２段目の外側に嵌設し、また１段目と２段目の外表面において所定の第１位置から所定の第２位置へ移動でき、よって、該固定具が第２位置にある時、固定具の該一対の係止歯が第１ハウジングの該一対の第２係止孔内に係入できることで、第１連結手段と第２連結手段を離脱した時、固定具は該一対の係止歯を利用して第１ハウジング１の１段目と２段目の外側に安定的に嵌設でき、且つ第１連結手段と第２連結手段の連結にも支障を与えることが無い防水コネクタアセンブリーを提供することである。
【００１２】
さらに、本発明の別の目的は、第１連結手段と、第２連結手段と固定具とを備え、第１連結手段内には第１防水ブッシュを含み、第２連結手段内に第２防水ブッシュを含み、よって、上記の第１防水ブッシュと第２防水ブッシュを通じて、水蒸気或いは湿気が第１連結手段と第２連結手段内に侵入することをそれぞれ防止できることで防水能力を高め、更にその寿命を延ばすことができる防水コネクタアセンブリーを提供することにある。
【課題を解決するための手段】
【００１３】
上記の目的を達成するため、本発明が提供した防水コネクタアセンブリーは、第１連結手段と、第２連結手段と固定具とを含む。
第１連結手段は第１ハウジングと、導体雄端子と、第１防水ブッシュと第１螺合部材とを備える。
第１ハウジングに第１内孔が形成され、且つ順番通り１段目と、２段目と、３段目と４段目とを設ける。第２連結手段は第２ハウジングと、導体雌端子と、第２防水ブッシュと第２螺合部材とを備える。
第２ハウジングに第２内孔が形成され、且つ順番通り５段目と、６段目と７段目とを設ける。
電気的に導通できるため、導体雄端子を上記導体雌端子に挿入できる。固定具は第１ハウジングの１段目と２段目の外側に嵌設し、また１段目と２段目の外表面において所定の第１位置から所定の第２位置へ移動できる。
【図面の簡単な説明】
【００１４】
【図１】本発明に基づく好ましい実施例の防水コネクタアセンブリーを示す立体分解図である。
【図２】本発明に基づく好ましい実施例の第１連結手段と第２連結手段を示す断面図である。
【図３】本発明に基づく好ましい実施例の防水コネクタアセンブリーを示す断面図である。
【図４】本発明に基づく好ましい実施例の固定具を示す断面図である。
【図５】本発明に基づく好ましい実施例の防水コネクタアセンブリーを示す立体図である。
【発明を実施するための形態】
【００１５】
本発明は、防水コネクタアセンブリーを開示することにあり、この中で利用されている電気コネクタ雌端子と雄端子の接続と導通原理については、すでに当業者が理解できるため、下記の説明において、詳細な記述を行わない。且つ下記の参照図面は、本発明の特徴と関係する構造概念を表明し、実際の寸法で完全に作図する必要がないため、この点について、先ず説明しておく。
【実施例】
【００１６】
まず本発明に基づく好ましい実施例の防水コネクタアセンブリー１００を示す立体分解図の図１を参照しながら説明する。
防水コネクタアセンブリー１００は、所定軸方向Ａに沿って組まれた第１連結手段１と、第２連結手段２と固定具３とを含む。
第１連結手段１は第１ハウジング１１と、導体雄端子１２と、第１防水ブッシュ１３と第１螺合部材１４とを備える。
第２連結手段１２は第２ハウジング２１と、導体雌端子２２と、第２防水ブッシュ２３と第２螺合部材２４とを備える。
上記の第１ハウジング１１、第２ハウジング１２と固定具３はいずれも中空状となる。
【００１７】
次に、第１連結手段１と第２連結手段２が離脱した時の軸方向Ａに沿った断面図の図２を参照しながら説明する。
第１ハウジング１１は軸方向Ａに沿って第１内孔１１５を形成する。該第１ハウジング１１は軸方向Ａに沿って順番通り１段目１１１と、２段目１１２と、３段目１１３と４段目１１４とが設けられる。
２段目１１２は外側から内側へ凹んで一対の凹み部１１６を形成し、また１段目１１１が軸方向Ａに沿って一対のスルーホール１１７を形成し、且つ該一対のスルーホール１１７は一対の第１開口部１１８を通じて上記の該一対の凹み部１１６まで貫通し、更に該一対の凹み部１１６を介して一対の第１係止域１１９が形成され、該一対の第１係止域１１９の位置が第１開口部１１８の更に外側に位置する。
【００１８】
引き続き図２を参照しながら説明する。
第２ハウジング２１が軸方向Ａに沿って第２内孔２１４を形成しており、且つ第２ハウジング２１が軸方向Ａに沿って順番通り５段目２１１と、６段目２１２と７段目２１３とに設けられている。
５段目２１１は、第１ハウジング１１の第１内孔１１５の中に入り込むためにある。第２ハウジング２１は一対の係止アーム２１５を更に含み、該一対の係止アーム２１５は６段目の頂上部２１２１から軸方向Ａに沿って延出し、並びに該一対の係止アーム２１５が５段目２１１の外側に位置する。
【００１９】
各係止アーム２１５の末端が外側に向かって突出することで突出部２１６が形成される。各突出部２１６の各係止アーム２１５に隣接する面に第２係止域２１７が形成される。
次に、第１連結手段１と第２連結手段２が結合した時軸方向Ａに沿った断面図の図３を参照しながら説明する。上記の該一対の突出部２１６は、第１ハウジング１１の該一対のスルーホール１１７を貫通して第１ハウジング１１の該一対の凹み部１１６に入り込む。
【００２０】
引き続き図３を参照すると、上記の導体雄端子１２は第１ハウジング１１内に設けられ、上記の導体雌端子２２が第２ハウジング２１内に設けられているため、第１連結手段１と第２連結手段２が結合した時、第２ハウジング２１の５段目２１１が第１ハウジング１１の第１内孔１１５の中に入り込むことができるため、第１ハウジング１１中の導体雄端子１２を第２ハウジング２１内の導体雌端子２２に插入して電気的に導通できる。
【００２１】
図１、図３と図４を参照しながら説明する。
図４は軸方向Ａに沿った固定具３の断面図である。
固定具３は軸方向Ａに沿って第３内孔３１を形成しており、また固定具３が第１ハウジング１１の１段目１１１と２段目１１２の外側に嵌設し、且つ１段目１１１と２段目１１２の外表面において所定の第１位置Ｐ１から所定の第２位置Ｐ２へ移動できる。
その他、固定具３が軸方向Ａに沿って一対の舌片３２を設け、よって、固定具３が第１位置Ｐ１にある時、第１連結手段１と第２連結手段２が結合したことを示し、該一対の舌片３２が第２ハウジング２１の該一対の突出部２１６の下方に入り込むことができ、並びに該一対の突出部２１６の各第２係止域２１７が第１ハウジング１１の各第１係止域１１９まで当てることができる。
【００２２】
これにより、本発明の防水コネクタアセンブリー１００は、その中の固定具３を介して第１連結手段１と第２連結手段２を更に安定的に結合させることができるため、外力の衝撃を受けて離脱或いは人為的に引っ張られても容易に抜け落ちることがなく、更に該防水コネクタアセンブリー１００の電気的導通の持久力を確保できる。
引き続き図１、図３と図４を参照しながら説明する。
固定具３が第２位置Ｐ２にある時、該一対の舌片３２が第２ハウジング２１の該一対の突出部２１６の下方から離れたことを示す。
【００２３】
次に図４を参照しながら説明する。
固定具３の第３内孔３１の孔壁から内側に向かって更に一対の係止歯３３を突出する。次に図１を参照すると、第２ハウジング２１の６段目２１２に一対の第１係止孔２１８が設けられ、第１ハウジング１１の１段目１１１に一対の第２係止孔１２０が設けられる。
よって、固定具３が第１位置Ｐ１にある時、該一対の係止歯３３が該一対の第１係止孔２１８内に係入できることで、固定具３は該一対の係止歯３３を利用して第１連結手段１と第２連結手段２を好適で安定的に連結（図５）させることができるため、外力の衝撃を受けて離脱或いは人為的に引っ張られても容易に抜け落ちることがなく、更に該防水コネクタアセンブリー１００接続後の電気的導通の持久力を好適に確保できる。また更に利用者の安全を守ることができる。
【００２４】
また、固定具３が第２位置Ｐ２にある時、該一対の係止歯３３が第１連結手段１の該一対の第２係止孔１２０中に係入できる。
よって、固定具３は該一対の係止歯３３を利用して第１ハウジング１の１段目１１１と２段目１１２の外側に安定的に嵌設でき、且つ第１連結手段１と第２連結手段２の連結にも支障を与えることが無い。
【００２５】
更に、引き続き図４を参照しながら説明する。固定具３の各舌片３２の先端外表面に更に傾斜面３２１が形成され、引き続き図３を参照にすると、固定具３が第１位置Ｐ１にある時、各舌片３２先端の傾斜面３２１を通じて更に各舌片３２を第２ハウジング２１の該一対の突出部２１６の下方にスムーズに入り込むことができ、該一対の突出部２１６の各第２係止域２１７が第１ハウジング１１の各第１係止域１１９まで当たらせることができる。
【００２６】
引き続き図４を参照すると、固定具３は更に順番通り８段目３４と９段目３５を設ける。８段目３４は第１ハウジング１１の２段目１１２と相互に接触し、また９段目３５が８段目３４位置に比べ更なる外側に位置し、且つ固定具３の該一対の舌片３２は８段目３４から９段目３５の内側に入り込む。
【００２７】
その他、固定具３の該防水コネクタアセンブリー１００における移動は、人手で移動できる以外に、工具或いは器具で移動できる。
引き続き図４を参照すると、固定具３が更に一対のスロット３６を形成し、該一対のスロット３６が該一対の舌片３２と該一対の係止歯３３の間に位置し、該一対のスロット３６の最も主な目的は、固定具３を第２位置Ｐ２から第１位置Ｐ１、若しくは第１位置Ｐ１から第２位置Ｐ２へ移動させようとした時、更に工具或いは器具で該一対のスロット３６中に挟み込むことで、固定具３を移動させるためである。
【００２８】
次に図１を参照しながら説明する。
第１ハウジング１１の４段目１１４の外表面に第１螺合部材１４の螺合固定用のために第１外ねじ山部１１４１が形成される。更に、４段目１１４に複数個の第１軸方向隙間１１４２が形成され、よって、第１防水ブッシュ１３を第１外ねじ山部１１４１の中に収容され、且つ導体雄端子１２が更に第１防水ブッシュ１３の中に貫設する。
また、第２螺合部材２４の螺合固定用のために第２ハウジング２１の７段目２１３の外表面に第２外ねじ山部２１３１が形成される。
更に、７段目２１３に複数個の第２軸方向隙間２１３２が形成され、よって、第２防水ブッシュ２３を第２外ねじ山部２１３１の中に収容され、且つ導体雌端子２２が第２防水ブッシュ２３の中に更に貫設する。
これにより、上記の第１防水ブッシュ１３と第２防水ブッシュ２３を介して、水蒸気或いは湿気の各々が第１連結手段１と第２連結手段２の中に侵入することを防止できることで、該防水コネクタアセンブリー１００の防水能力を高め、更に寿命を延ばすことができる。
【００２９】
以上に述べたものは本発明の好ましい実施例のみであって、本発明の登録請求の権利が限定されるものではない。同時に当業者が以上の記述を理解及びび実施できる。このため、本発明の精神から離れることなく行われる種々の改良変更をなし得ることは、特許請求の範囲内に含めるものであるのが勿論である。
【符号の説明】
【００３０】
１００    防水コネクタアセンブリー
１        第１連結手段
１１      第１ハウジング
１１１    １段目
１１２    ２段目
１１３    ３段目
１１４    ４段目
１１４１  第１外ねじ山部
１１４２  第１軸向隙間
１１５    第１内孔
１１６    凹み部
１１７    スルーホール    
１１８    第１開口部
１１９    第１係止域
１２０    第２係止孔
１２      導体雄端子
１３      第１防水ブッシュ
１４      第１螺合部材
２        第２連結手段
２１      第２ハウジング
２１１    ５段目
２１２    ６段目
２１２１  頂上部
２１３    ７段目
２１３１  第２外ねじ山部
２１３２  第２軸方向の隙間
２１４    第２内孔
２１５    係止アーム
２１６    突出部
２１７    第２係止域
２１８    第１係止孔
２２      導体雌端子
２３      第２防水ブッシュ
２４      第２螺合部材
３        固定具
３１      第３内孔
３２      舌片
３２１    傾斜面
３３      係止歯
３４      ８段目
３５      ９段目
３６      スロット
Ａ        軸方向      
Ｐ１      第１位置
Ｐ２      第２位置
【図１】
2012028312.tif 000003
【図２】
2012028312.tif 000004
【図３】
2012028312.tif 000005
【図４】
2012028312.tif 000006
【図５】
2012028312.tif 000007